(57)【要約】【課題】床スラブ上に逆梁を上向きに突設した逆梁構造のコンクリート躯体をもつ集合住宅において、そのコンクリート躯体の壁面に積層される仕上壁の最下端に固定される幅木の構造であり、この幅木を通して床下空間と床上空間との間を空気が自由に流通できるようにして、床下空間の空気バネ作用による太鼓現象を防止して、遮音効果を高めるようにした。【解決手段】仕上壁２１の最下端に固定される幅木２４を、上部幅木２５と、その下面に通気通路２９をおいて並列される下部幅木２６と、その上、下幅木２５，２６を一体に結合するパンチングプレート２７とより構成し、床上空間Ｈｕと床下空間Ｈｄとを通気通路２９およびパンチングプレート２７にあけた複数の小孔２８を通して連通した。【選択図】　　　図５
2004143851.tif 000002
【特許請求の範囲】
【請求項１】
水平躯体部分（Ｆｈ）の床スラブ（Ｓｆ）上に、床構造体（Ｆｒ）を横架し、この床構造体（Ｆｒ）により居住空間（Ｈ）を床上空間（Ｈｕ）と床下空間（Ｈｄ）とに区画し、鉛直躯体部分（Ｆｖ）の壁面と床構造体（Ｆｒ）の端部間に、床上空間（Ｈｕ）と、床下空間（Ｈｄ）との間で自由な空気の流通を可能とした空気流通間隙（１７）を形成した建物の幅木構造であって、
鉛直躯体部分（Ｆｖ）の壁面に積層される仕上壁（２１）の最下端に固定されてその仕上壁（２１）の下面と床構造体（Ｆｒ）の床面間にそれら間の間隙を覆う幅木（２４）を設け、該幅木（２４）は、上部幅木（２５）と、その下面に通気通路（２９）を存して並列される下部幅木（２６）と、それら上、下部幅木（２５，２６）を一体に結合するパンチングプレート（２７）とより構成し、前記床上空間（Ｈｕ）と床下空間（Ｈｄ）とを前記通気通路（２９）およびパンチングプレート（２７）に穿設した複数の小孔（２８）を通して空気流通間隙（１７）に連通したことを特徴とする、建物の幅木構造。
【請求項２】
上部幅木（２５）と、下部幅木（２６）間に形成される通気通路（２９）は、迷路状に形成されて、その一端が幅木（２４）の前面に開口され、その他端がパンチングプレート（２７）の、防虫作用を有する小孔（２８）に連通されていることを特徴とする、前記請求項１記載の、建物の幅木構造。
【発明の詳細な説明】
【０００１】
【発明の属する技術分野】
本発明は、建物の骨格を構成する躯体の壁面に積層される仕上壁の最下端に固定されて、その仕上壁の下面と床構造体の床面間に設けられる幅木の構造に関するものである。
【０００２】
【従来の技術】
一般に建物の居住空間の壁面の仕上壁の最下部には、床面に接する、化粧板、保護板として機能する幅木が設けられる（たとえば非特許文献１参照）。
【０００３】
【非特許文献１】
橋場　信雄著　図書「建築用語図解辞典」　理工学社出版
【０００４】
【発明が解決しようとする課題】
ところで、本出願人は、躯体の床スラブ上に、躯体梁を介して床構造体を横架し、その床構造体によって、居住空間を、床上空間と床下空間とに区画すると共に床構造体と躯体壁間に間隙を形成し、床上にかかる衝撃が床構造体を介し直接躯体に伝わらないようにして遮音効果を高めるようにした、建物の遮音構造を既に提案（特願平１１−３３１２６２号）しているが、本発明は、かかる建物において、居住空間の仕上壁の最下端に固定されて床面に接する幅木を改良して、この幅木を通じて床上空間と床下空間との間で自由な空気の流通を許容して床下空間の空気バネによる「太鼓現象」を防止し、遮音効果を一層高めるようにし、さらに、前記幅木には、防虫機能をもたせて、床下空間から床上空間への害虫の侵入を防止するようにした、新規な建物の幅木構造を提供することを目的とするものである。
【０００５】
【課題を解決するための手段】
前記目的達成のため、本請求項１記載の発明は、水平躯体部分の床スラブ上に、床構造体を横架し、この床構造体により居住空間を、床上空間と床下空間とに区画し、鉛直躯体部分の壁面と床構造体の端部間に、床上空間と、床下空間との間で自由な空気の流通を可能とした空気流通間隙を形成した建物の幅木構造であって、
鉛直躯体部分の壁面に積層される仕上壁の最下端に固定されてその仕上壁の下面と床構造体の床面間にそれら間の間隙を覆う幅木を設け、該幅木は、上部幅木と、その下面に通気通路を存して並列される下部幅木と、それら上、下部幅木を一体に結合するパンチングプレートとより構成し、前記床上空間と床下空間とを前記通気通路およびパンチングプレートに穿設した複数の小孔を通して空気流通間隙に連通したことを特徴としており、かかる特徴によれば、床上空間と床下空間との間は、幅木に形成される通気通路と複数の小孔を通して空気の流通が自由に行なわれ、これにより、床構造体にかかる衝撃により、それが変形して床上空間と床下空間との間で容積変化が生じたときに、それら間での空気の自由な流通を保障し、これにより、床下空間内での空気の圧縮による空気バネ作用に起因する、所謂「太鼓現象」の発生を防止して衝撃音を緩和し、遮音効果を高めることができる。また幅木は、上部幅木と、下部幅木とを並列したことにより、通気通路の形成が容易になると共に該通気通路の間隙調整やその通路断面形状の設計自由度が増すことができ、さらに、パンチングプレートは、複数の小孔の穿設が容易であり、しかもその寸法精度を高めることができる。
【０００６】
また、前記目的達成のため、本請求項２記載の発明は、前記請求項１記載の発明において、上部幅木と、下部幅木間に形成される通気通路は、迷路状に形成されて、その一端が幅木の前面に開口され、その他端がパンチングプレートの、防虫作用を有する小孔に連通されていることを特徴としており、かかる特徴によれば、前記請求項１記載の発明の効果に加えて、幅木のパンチングプレートの複数の小孔は、害虫などが通気通路を通って床下空間から床上空間へ侵入するのを防止することができる。
【０００７】
【発明の実施の形態】
以下、本発明の実施の形態を、添付図面に示した本発明の実施例に基づいて説明する。
【０００８】
この実施例は、本発明建物の幅木構造を、逆梁構造のコンクリート躯体を備えた集合住宅に実施した場合であり、図１は、集合住宅の一部破断平面図、図２は、図１の２−２線に沿う断面図、図３は、図１の３−３線に沿う拡大断面図、図４は、図３の４−４線に沿う拡大断面図、図５は、図１の５−５線に沿う拡大断面図、図６は、図５の６−６線に沿う部分断面図、図７は、幅木の斜視図である。
【０００９】
図１，２において、集合住宅の骨格を構成する、逆梁構造のコンクリート躯体Ｆは、水平方向に延びて、建物を複数の階層に区画する水平躯体部分Ｆｈと、鉛直方向に延びて上下の水平躯体部分Ｆｈを相互に連結する鉛直躯体部分Ｆｖを備えている。
【００１０】
水平躯体部分Ｆｈにより仕切られる各階層には、複数戸の居住空間Ｈが並設され、各居住空間Ｈは、その四隅にそれぞれ立設されて上下の床スラブＳｆ，Ｓｆを結合する躯体柱１と、対向する躯体柱１，１間を一体に結合する、躯体外壁２および躯体隔壁（耐力壁）３により仕切られる。
【００１１】
水平躯体部分Ｆｈを構成する床スラブＳｆには、各居住空間Ｈの床下空間Ｈｄを区画する縦、横の逆大梁５Ｌ，５Ｔが床スラブＳｆから上向きに一体に突設されており、これらの縦、横の逆大梁５Ｌ，５Ｔ上に、躯体隔壁３および躯体外壁２の下端が一体に結合され、またそれらの逆大梁５Ｌ，５Ｔは居住空間Ｈの四隅に位置する躯体柱１に一体に結合される。
【００１２】
各居住空間Ｈにおいて、床スラブＳｆ上には、前記逆大梁５Ｌ，５Ｔよりも低い縦、横の逆小梁６Ｌ，６Ｔが上向きに一体に突設され、これらの縦、横の逆小梁６Ｌ，６Ｔは互いに交差して、それらの端部は、横、縦の逆大梁５Ｔ，５Ｌの中間部にそれぞれ一体に連結されている。
【００１３】
図１に示すように、並列する複数戸の居住空間Ｈの一方の躯体外壁２（図１、左側）の外側には、通路７が構築され、またそれらの他方の躯体外壁２（図１、右側）の外側には、ベランダ８が構築され、通路７およびベランダ８と略平行な横方向の逆小梁６Ｔは、ベランダ８より通路７側に若干近づけられていて、各居住空間Ｈには、ベランダ８側に偏らせて広い面積の水回り空間を占有できるようになっている。また、図３に示すように、外気に対面する側、すなわち、通路７側およびベランダ８側の、横の逆大梁５Ｔの内面には、断熱材としての発泡ウレタン９（図３参照）が吹き付けられている。
【００１４】
各居住空間Ｈの縦横の逆大梁５Ｌ，５Ｔと、縦横の逆小梁６Ｌ，６Ｔ間には、床構造体Ｆｒが支持され、この床構造体Ｆｒにより、居住空間Ｈは、床下空間Ｈｄと、床上空間Ｈｕとに画成される。前記床構造体Ｆｒは、通常のように複数本の大引ビーム１０と、それらの上にそれらと直交して支持される複数本の根太１１と、それらの根太１１上に敷設される木質系のフローリング１２とより一体的に構成され、該フローリング１２は、下地材上に仕上材を一体に積層して構成される。
【００１５】
図１に示すように、各居住空間Ｈは平面長方形状に形成され、その長手方向と直交する方向、すなわち該居住空間Ｈの幅方向において、縦の逆大梁５Ｌと縦の逆小梁６Ｌとのスパン間に、複数本の大引ビーム１０がそれぞれ橋架支持される。図２，５に示すように、縦の逆大梁５Ｌの側部には、逆小梁６Ｌ，６Ｔと略同じレベルの打増部すなわち床支持部１４が段状に一体に成形（縦の逆大梁５Ｌの型枠による成形時に同時に一体成形）され、この床支持部１４と縦の逆小梁６Ｌの上面との間に、複数本の前記大引ビーム１０が固定具を用いずにフローティング支持される。すなわち、縦の逆大梁５Ｌの床支持部１４と、縦の逆小梁６Ｌの上には、レベル調整ボルト１３を介して緩衝材としての防振ゴム１５が設けられ、これらの防振ゴム１５上に、鋼板により断面Σ状に形成される大引ビーム１０の両端部がフローティング状態、すなわち横移動を許容するように、固定具を用いずに載置される。
【００１６】
図５に明瞭に示すように、床構造体Ｆｒの端部、すなわち大引ビーム１０およびフローリング１２の端面と、コンクリート躯体Ｆ、すなわち縦の逆大梁５Ｌおよび躯体隔壁３の側面との間には、空気流通間隙１７が形成されている。この空気流通間隙１７は、コンクリート躯体Ｆと床構造体Ｆｒとの接触を回避すると共に後述する幅木２４を通して床下空間Ｈｄと床上空間Ｈｕとの間を空気が自由に流通できるようにして、床下での空気バネ作用よる「太鼓現象」の発生を防止できる。
【００１７】
また、図５に示すように、床上空間Ｈｕにおいて、居住空間Ｈを区画する躯体隔壁（耐力壁）３には、クロス壁、すなわち仕上壁２１が接合される。この仕上壁２１の最下端と、フローリング１２との間には前記空気流通間隙１７に連通する間隙２２が形成される。
【００１８】
前記仕上壁２１の最下部の表面側すなわち、居住空間Ｈと対面する面には、本発明にかかる帯状の幅木２４が固定される。
【００１９】
つぎに、この幅木２４の構造を、図５〜７を参照して説明するに、この幅木２４は、木材などよりなる、上部幅木２５および下部幅木２６と、それらを一体に接合する、ＰＶＣなどの樹脂材よりなるパンチングプレート２７とより構成されている。前記上部幅木２５は、所定の板厚を有して帯状に形成され、その下半部の裏面には、その全長に亘って前記パンチングプレート２７を接着するための凹状の接着面２５ａが形成され、さらにその下に段差２５ｂを介して空気流通を形成するための凹部２５ｃが形成されている。一方、前記下部幅木２６は、前記上部幅木２５よりも上下幅が短く、かつ若干肉薄に形成され、その裏面にパンチングプレート２７の接着面２６ａが形成され、さらにその上面に、上部幅木の凹部と協働して通気通路２９を形成するための凹部２６ｃが形成されている。さらに、前記パンチングプレート２７は、前記上、下部幅木２５，２６と略同じ長さの帯状に形成されており、その上下方向の中間部には、その長手方向に沿い２列に複数の小孔２８が穿設されている。上、下部幅木２５，２６を上下に並列させ、それらの裏面の接着面２５ａ，２６ａにパンチングプレート２７を接着する。これにより、図７に明瞭に示すように幅木が構成され、この幅木は、上、下部幅木２５，２６間に、前記凹部２５ｃ，２６ｃによって断面クランク状の迷路よりなる通気通路２９が形成され、この通気通路２９は、幅木２４の前面に、その全長にわたり帯状に開口され、また前記パンチングプレート２７の小孔２８に連通される。幅木２４の上部表面、すなわち上部幅木２５の表面には、その長手方向に沿って取付溝３０が形成される。
【００２０】
図５に示すように、前記幅木２４は仕上壁２１の下部表面に、取付溝３０を通して複数の釘３８により固定され、幅木２４の下面、すなわち下部幅木２６の下面は、フローリング１２の上面に密接され、床上空間Ｈｕの体裁を整えると共にフローリング１２上のごみなどの異物が床下空間Ｈｄへ落ちるのを防止している。
【００２１】
また、床上空間Ｈｕと床下空間Ｈｄとの間は、幅木２４の、前記通気通路２９　と複数の小孔２８および仕上壁２１下方の間隙２２を通して空気の流通が自由に行なわれ、これにより、床構造体Ｆｒにかかる衝撃により、それが変形して床上空間Ｈｕと床下空間Ｈｄとの間で容積変化が生じたときに、それら間での空気の自由な流通を保障し、これにより、床下空間Ｈｄ内に空気の圧縮による空気バネ作用に起因する、所謂「太鼓現象」の発生を防止して衝撃音を緩和し、遮音効果を高めることができる。また、幅木２４は、上部幅木２５と、下部幅木２６とを並列したことにより、通気通路２９の形成が容易になると共に該通気通路２９の間隙調整やその通路断面形状の設計自由度が増すことができ、さらに、パンチングプレート２７は、複数の小孔２８の穿設が容易であり、しかもその寸法精度を高めることができ、それらの小孔２８は、害虫などが通気通路２９を通って床下空間Ｈｄから床上空間Ｈｕへ侵入するのを防止する。
【００２２】
また、図３に示すように、横の逆大梁５Ｔおよび該逆大梁５Ｔ上を延びる躯体外壁２と、床構造体Ｆｒとの間にも床下空間Ｈｄと床上空間Ｈｕとを自由に空気が流通できるようにした、空気流通間隙１８が形成される。ベランダ８側の躯体外壁２には、横の逆大梁５Ｔ上の防水モルタル３７および額縁３１により縁取りされる開口３２が開設され、防水モルタル３７の内周縁には、開閉ドアの嵌着されるサッシュ３３が固定される。大引ビーム１０、根太１１およびフローリング１２の端縁と、横の逆大梁５Ｔおよび躯体外壁２との間に、前記空気流通間隙１８が形成され、また、前記額縁３１の下縁の敷居額縁３１ｓは、フローリング１２の端縁の上方まで延びており、図４に示すように、該敷居額縁３１ｓと、フローリング１２の端縁間には、通気間隙３４が形成され、それらの間には、複数の緩衝材としての防振ゴム３５が間隔をおいて介在されている。したがって、床下空間Ｈｄと床上空間Ｈｕとは、前記空気流通間隙１８および通気間隙３４を通して空気の自由な流通を可能にしている。また、前記敷居額縁３１ｓは、フローリング１２の端縁を覆い、フローリング１２の床面の体裁を整えると共に床上のゴミ等の異物が、床下空間Ｈｄに落ちないようにしている。
【００２３】
以上、本発明の実施例について説明したが、本発明はその実施例に限定されることなく、本発明の範囲内で種々の実施例が可能である。
【００２４】
たとえば、前記実施例では、本発明建物の幅木構造を、逆梁構造の躯体をもつ集合住宅に実施した場合を説明したが、これを他の建物にも実施できることは勿論である。
【００２５】
【発明の効果】
以上のように、本請求項１記載の発明によれば、水平躯体部分の床スラブ上に、床構造体を横架し、この床構造体により居住空間を、床上空間と床下空間とに区画し、鉛直躯体部分の壁面と床構造体の端部間に、床上空間と、床下空間との間で自由な空気の流通を可能とした空気流通間隙を形成した建物の幅木構造であって、鉛直躯体部分の壁面に積層される仕上壁の最下端に固定されてその仕上壁の下面と床構造体の床面間にそれら間の間隙を覆う幅木を設け、該幅木は、上部幅木と、その下面に通気通路を存して並列される下部幅木と、それら上、下部幅木を一体に結合するパンチングプレートとより構成し、前記床上空間と床下空間とを前記通気通路およびパンチングプレートに穿設した複数の小孔を通して空気流通間隙に連通したので、床上空間と床下空間との間は、幅木に形成される通気通路と複数の小孔を通して空気の流通が自由に行なわれ、これにより、床構造体にかかる衝撃により、それが変形して床上空間と床下空間との間で容積変化が生じたときに、それら間での空気の自由な流通を保障し、これにより、床下空間内での空気の圧縮による空気バネ作用に起因する、所謂「太鼓現象」の発生を防止して衝撃音を緩和し、遮音効果を高めることができる。また幅木は、上部幅木と、下部幅木とを並列したことにより、通気通路の形成が容易になると共に該通気通路の間隙調整やその通路断面形状の設計自由度が増すことができ、さらに、パンチングプレートは、複数の小孔の穿設が容易であり、しかもその寸法精度を高めることができる。
【００２６】
また、本請求項２記載の発明によれば、前記請求項１記載の発明において、上部幅木と、下部幅木間に形成される通気通路は、迷路状に形成されて、その一端が幅木の前面に開口され、その他端がパンチングプレートの、防虫作用を有する小孔に連通されているので、前記請求項１の発明の効果に加えて、幅木のパンチングプレートの複数の小孔は、害虫などが通気通路を通って床下空間から床上空間へ侵入するのを防止することができる。
【図面の簡単な説明】
【図１】集合住宅の一部破断平面図
【図２】図１の２−２線に沿う断面図
【図３】図１の３−３線に沿う拡大断面図
【図４】図３の４−４線に沿う拡大断面図
【図５】図１の５−５線に沿う拡大断面図
【図６】図５の６−６線に沿う部分断面図
【図７】幅木の斜視図
【符号の説明】
１７・・・・・・・・・・空気流通間隙
２１・・・・・・・・・・仕上壁
２４・・・・・・・・・・幅木
２５・・・・・・・・・・上部幅木
２６・・・・・・・・・・下部幅木
２７・・・・・・・・・・パンチングプレート
２８・・・・・・・・・・小孔
２９・・・・・・・・・・通気通路
Ｆｒ・・・・・・・・・・床構造体
Ｆｈ・・・・・・・・・・水平躯体部分
Ｆｖ・・・・・・・・・・鉛直躯体部分
Ｈ・・・・・・・・・・・居住空間
Ｈｕ・・・・・・・・・・床上空間
Ｈｄ・・・・・・・・・・床下空間
Ｓｆ・・・・・・・・・・床スラブ
【図１】
2004143851.tif 000003
【図２】
2004143851.tif 000004
【図３】
2004143851.tif 000005
【図４】
2004143851.tif 000006
【図５】
2004143851.tif 000007
【図６】
2004143851.tif 000008
【図７】
2004143851.tif 000009